(57)【要約】【課題】交流電源の電圧変動に拘わらず位相制御された交流電圧の導通幅を一定にすることのできる直流電源装置を提供する。【解決手段】交流電圧を位相制御する位相制御調光器３から出力される位相制御電圧を整流する整流回路４と、この整流回路４から出力される電圧を所定の直流電圧にして出力する出力回路５,６と、位相制御調光器３によって位相制御された位相制御電圧の導通幅を検出する導通幅検出回路４０とを備え、前記出力回路５,６は、導通幅検出回路４０が検出した位相制御電圧の導通幅に応じた所定の直流電圧を出力する直流電源装置１であって、導通幅検出回路４０は、位相制御電圧の導通開始時を検出する第１閾値電圧と、位相制御電圧の導通終了時を検出する第２閾値電圧とを有し、第２閾値電圧を第１閾値電圧より低く設定した。【選択図】図１
2013247720.tif 000002
【特許請求の範囲】
【請求項１】
交流電圧を位相制御する位相制御装置から出力される位相制御された位相制御電圧を整流する整流回路と、この整流回路から出力される整流電圧を所定の直流電圧にして出力する出力回路と、前記位相制御装置によって位相制御された位相制御電圧の導通幅を検出する導通幅検出手段とを備え、前記出力回路は、前記導通幅検出手段が検出した位相制御電圧の導通幅に応じた所定の直流電圧を出力する直流電源装置であって、
前記導通幅検出手段は、前記位相制御電圧の導通開始時を検出する第１閾値電圧と、位相制御電圧の導通終了時を検出する第２閾値電圧とを有し、
前記第２閾値電圧を第１閾値電圧より低く設定したことを特徴とする直流電源装置。
【請求項２】
前記導通幅検出手段は、第１閾値電圧を設定するツエナダイオードと第２閾値電圧を設定するサイリスタを有する回路、または第１閾値電圧を設定するツエナダイオードと第２閾値電圧を設定するサイリスタ構成の回路から構成されていることを特徴とする請求項１に記載の直流電源装置。
【請求項３】
前記導通幅検出手段は、前記位相制御電圧の導通幅に応じた期間だけ導通するためのスイッチ素子と、このスイッチ素子のオンオフを制御するマイクロコンピュータとを有し、このマイクロコンピュータは、前記位相制御電圧が第１閾値電圧になったとき前記スイッチ素子をオンさせ、第２閾値電圧以下になったとき該スイッチ素子をオフさせ、前記出力回路は、そのスイッチ素子がオンしている期間に応じて前記所定の直流電圧を出力することを特徴とする請求項１に記載の直流電源装置。
【請求項４】
請求項１ないし請求項３のいずれか１つに記載の直流電源装置と、この直流電源装置によって点灯される発光ダイオードとを備えたことを特徴とする照明器具。
【発明の詳細な説明】
【技術分野】
【０００１】
この発明は、交流電圧を位相制御することによって直流の出力電圧を変える直流電源装置に関する。
【背景技術】
【０００２】
従来から、調光器によって位相制御を行うことにより調光を行うＬＥＤ点灯装置が知られている（特許文献１参照）。
【０００３】
かかるＬＥＤ点灯装置は、交流電圧を位相制御する位相制御調光器と、この位相制御調光器から出力される位相制御された交流電圧（位相制御電圧）を整流する整流回路と、位相制御された位相制御電圧の導通幅を検出する導通幅検出回路と、この導通幅検出回路が検出する導通幅に応じて発光ダイオードを点灯させる点灯回路などとを備えている。
【０００４】
点灯回路は、整流回路の出力端子に接続されたトランスの一次コイルと、この一次コイルに直列接続されたスイッチング素子と、このスイッチング素子をオンオフさせるＰＷＭ制御回路と、トランスの二次コイルに接続された整流平滑回路とを有し、この整流平滑回路から出力される直流電圧によって発光ダイオードを点灯させるようになっている。
【０００５】
上記のように構成されるＬＥＤ点灯装置は、導通幅検出回路が検出した導通幅に対応したデューティ比のパルスをＰＷＭ制御回路が出力し、このパルスが出力されている期間だけスイッチング素子が導通してトランスの一次コイルに電流を流し、そのスイッチング素子をオフした際に一次コイルに蓄えられたエネルギーに応じて二次コイルから高周波電圧を出力させ、この高周波電圧を整流平滑して直流電圧にし、この直流電圧で発光ダイオードを発光させる。
【０００６】
ところで、いわゆる位相制御２線式型のＬＥＤ点灯装置が知られている。このＬＥＤ点灯装置は、調光器によって交流電圧を位相制御し、この位相制御された交流電圧の導通幅と同じ調光信号を出力させることにより、調光器と同期したＬＥＤ出力電流を出力するものである。
【先行技術文献】
【特許文献】
【０００７】
【特許文献１】特開２００７−３５４０３号公報
【発明の概要】
【発明が解決しようとする課題】
【０００８】
しかしながら、このようなＬＥＤ点灯装置にあっては、図６の（Ａ）に示すように、位相制御された交流電圧（位相制御電圧）Ｖａは、理想的には非導通期間ではゼロボルトであるが、実際には図６の（Ｂ）に示すように非導通期間ではゼロボルトにならず、電圧Ｖｆが発生する。このため、図７に示すように、電圧Ｖｆより高い閾値電圧Ｖ１を設定し、全波整流された位相制御の電圧Ｖａが閾値電圧Ｖ１以上となる期間を位相制御された電圧Ｖａの導通幅としており、この導通幅のパルスを調光信号Ｓ１として使用している。
【０００９】
このため、交流電源の電圧が変動すると、例えば図８に示すように交流電圧Ｖｊから低い交流電圧Ｖｋになると、その導通幅Ｗ１が小さくなり、逆に高い交流電圧Ｖｊになると、その導通幅Ｗｏ（Ｗ１＜Ｗｏ）が大きくなる。このように、交流電圧Ｖが変動すると導通幅Ｗも変動するので、発光ダイオードの出力電流も変動していまい、これが発光ダイオードのチラツキとなる問題があった。
【００１０】
この発明の目的は、交流電源の電圧変動に拘わらず位相制御された交流電圧の導通幅を一定にすることのできる直流電源装置を提供することにある。
【課題を解決するための手段】
【００１１】
請求項１の発明は、  交流電圧を位相制御する位相制御装置から出力される位相制御された位相制御電圧を整流する整流回路と、この整流回路から出力される整流電圧を所定の直流電圧にして出力する出力回路と、前記位相制御装置によって位相制御された位相制御電圧の導通幅を検出する導通幅検出手段とを備え、前記出力回路は、前記導通幅検出手段が検出した位相制御電圧の導通幅に応じた所定の直流電圧を出力する直流電源装置であって、
前記導通幅検出手段は、前記位相制御電圧の導通開始時を検出する第１閾値電圧と、位相制御電圧の導通終了時を検出する第２閾値電圧とを有し、
前記第２閾値電圧を第１閾値電圧より低く設定したことを特徴とする。
【発明の効果】
【００１２】
この発明によれば、交流電源の電圧変動に拘わらず位相制御された位相制御電圧の導通幅を一定にすることができる。
【図面の簡単な説明】
【００１３】
【図１】ＬＥＤ点灯装置の構成を示したブロック図である。
【図２】図１に示すＬＥＤ点灯装置の導通幅検出回路の構成を示した回路図である。
【図３】位相制御された位相制御電圧の波形を示した説明図である。
【図３Ａ】定電圧回路から出力される位相制御電圧の波形を示した説明図である。
【図４】第２実施例の導通幅検出回路の構成を示した回路図である。
【図５】第３実施例の導通幅検出回路の構成を示した回路図である。
【図６】（Ａ）は位相制御された理想の交流電圧の波形を示した説明図、（Ｂ）は位相制御された実際の交流電圧の波形を示した説明図である。
【図７】位相制御された位相制御電圧の導通幅と、調光信号との関係を示した説明図である。
【図８】電源電圧の変動によって位相制御電圧の導通幅が変動することを示す説明図である。
【発明を実施するための最良の形態】
【００１４】
以下、この発明に係る直流電源装置の１つであるＬＥＤ点灯回路の実施の形態である実施例を図面に基づいて説明する。
【実施例】
【００１５】
［第１実施例］
図１に示すＬＥＤ点灯装置１は、交流電源（商用電源）Ｅの交流電圧を位相制御する位相制御調光器（位相制御装置）３と、この位相制御調光器３で位相制御された交流電圧（位相制御電圧）を基にしてＬＥＤモジュールＭの発光ダイオードＬＥＤを点灯する直流電源装置である点灯回路２とを備えている。そして、位相制御調光器３と点灯回路２とＬＥＤモジュールＭとで照明器具が構成される。
【００１６】
位相制御調光器３は、外部の図示しない調光操作手段に基づいて内部のトライアック（図示せず)をオン（導通）させる図示しない調光回路（位相制御回路）を有する。この構成は周知であるのでその詳細な説明は省略する。この構成により位相制御調光器３は、入力側と出力側をトライアック（図示せず）で導通させて、交流電源Ｅから入力側に入力される交流電圧を出力側に出力させる際、入力側と出力側とが導通する位相及び導通幅を制御することにより、後述するＬＥＤモジュールＭの発光ダイオードの明るさを調光するようになっている。
【００１７】
点灯回路２は、入力整流回路（整流回路）４と、位相制御された位相制御電圧の導通幅を検出する導通幅検出回路（導通幅検出手段）４０と、インバータ回路５と、出力整流平滑回路６と、出力電流検出回路７と、調光信号生成回路９と、出力制御回路１０とを有している。
【００１８】
入力整流回路４は、位相制御調光器３で位相制御された位相制御電圧を全波整流する整流回路ＲＣ１と、整流回路ＲＣ１の一方の出力端子に接続されたダイオードＤ１と、整流回路ＲＣ１の他方の出力端子とダイオードＤ１のカソードに接続された平滑回路であるコンデンサＣ１とを有する。
【００１９】
導通幅検出回路４０は、図２に示すように、整流回路ＲＣ１から出力される位相制御電圧を所定電圧以上をカットして出力する定電圧回路４１と、位相制御電圧の導通開始時を検出するための第１閾値電圧（ツエナー電圧Ｖｚ）を設定するツエナーダイオードＤＺ１と、位相制御電圧の導通終了時を検出するための第２閾値電圧Ｖｈ（Ｖｈ＜Ｖｚ）を設定するためのトランジスタＱ２,Ｑ３と、フォトカプラＰＨ１の発光ダイオードＬｄ１などとを有している。
【００２０】
ツエナーダイオードＤＺ１のカソードは定電圧回路４１の出力端子に接続され、アノードは抵抗Ｒ５を介してトランジスタＱ３のベースに接続されている。発光ダイオードＬｄ１のアノードは抵抗Ｒ６を介して定電圧回路４１の出力端子に接続され、カソードはトランジスタＱ２のエミッタに接続されている。トランジスタＱ２のエミッタとベース間には抵抗Ｒ７が接続され、トランジスタＱ２のコレクタはトランジスタＱ３のベースに接続されている。
【００２１】
トランジスタＱ３のコレクタは抵抗Ｒ８を介してトランジスタＱ２のベースに接続され、トランジスタＱ３のベースとエミッタ間には抵抗Ｒ９が接続されている。トランジスタＱ３のエミッタは整流回路ＲＣ１の他方の出力端子に接続されている。
【００２２】
ツエナーダイオードＤＺ１がオンすると、トランジスタＱ３,Ｑ２がオンするようになっており、このトランジスタＱ３,Ｑ２のオンの期間中にツエナーダイオードＤＺ１がオフしてもトランジスタＱ３,Ｑ２がオンを維持し、定電圧回路４１から出力される定電圧がツエナーダイオードＤＺ１のツエナー電圧Ｖｚより低い電圧Ｖｈ（ゼロボルトに近い電圧）以下になるとトランジスタＱ３,Ｑ２がオフするようになっている。そして、定電圧が上昇して電圧ＶｈになってもツエナーダイオードＤＺ１がオンしない限りトランジスタＱ３,Ｑ２がオンすることがない。つまり、導通幅検出回路４０はサイリスタ構成を持っている。
【００２３】
また、ツエナー電圧Ｖｚは、図３に示すように非導通期間に現れる電圧Ｖｆより大きな電圧に設定されている。
【００２４】
インバータ回路５は、図１に示すように、一定周期毎にパルスである制御信号を出力端子Ｐ１から出力する駆動回路ＩＣ１と、駆動回路ＩＣ１からの制御信号が出力されている期間だけオンするスイッチング素子Ｑ１と、トランスＴと、駆動回路ＩＣ１の入力端子ＦＢに接続されたフォトカプラＰＨ２のフォトトランジスタＰｄ２とを有する。
【００２５】
スイッチング素子Ｑ１は、トランスＴの一次コイルＴ１に直列接続され、導通することによって一次コイルＴ１に電流を流す。
【００２６】
駆動回路ＩＣ１は、フォトトランジスタＰｄ２に流れる電流に応じて出力端子Ｐ１から出力される制御信号のパルス幅を制御するものであり、その電流が大きいほどパルス幅を狭くする。
【００２７】
出力整流平滑回路６は、トランスＴの二次コイルＴ２から出力される高周波電圧を整流するダイオードＤ２と、整流された整流電圧を平滑するコンデンサＣ２とを有している。出力整流平滑回路６の出力端子６ａ,６ｂ間には、複数の発光ダイオード（ＬＥＤ）を直列接続したＬＥＤモジュールＭが負荷として接続されている。また、出力整流平滑回路６の出力側にはＬＥＤモジュールＭに流れる電流を検出する出力電流検出回路７が設けられており、この出力電流検出回路７は抵抗Ｒ１から構成されている。
【００２８】
調光信号生成回路９は、導通幅検出回路４０のフォトカプラＰＨ１（図２参照）のフォトトランジスタＰｄ１と、このフォトトランジスタＰｄ１に直列接続されたコンデンサＣ３とを有している。
【００２９】
フォトトランジスタＰｄ１は、フォトカプラＰＨ１の発光ダイオードＬｄ１の光を受光して導通し、この導通している期間だけ定電圧回路８から出力される一定の直流電圧によりコンデンサＣ３を充電するようになっている。
【００３０】
出力制御回路１０は、定電圧回路８から供給される定電圧によって動作するコンパレータＩＣ２と、コンパレータＩＣ２の出力側に接続された抵抗Ｒ３と、この抵抗Ｒ３に直列接続されたフォトカプラＰＨ２の発光ダイオードＬｄ２などとを有している。
【００３１】
コンパレータＩＣ２の非反転入力端子は抵抗Ｒ２を介して出力電流検出回路７の抵抗Ｒ１に接続され、抵抗Ｒ１に生じる電圧がコンパレータＩＣ２の非反転入力端子に入力するようになっている。
【００３２】
また、コンパレータＩＣ２の反転入力端子は、調光信号生成回路９のフォトトランジスタＰｄ１のエミッタに接続され、コンデンサＣ３に充電された電圧がコンパレータＩＣ２の反転入力端子に入力するようになっている。
【００３３】
コンパレータＩＣ２の反転入力端子と出力端子間には、抵抗ＲとコンデンサＣ４の直列回路が接続され、この直列回路にコンデンサＣ５が並列接続されている。
【００３４】
コンパレータＩＣ２は、反転入力端子に入力されるコンデンサＣ３の充電電圧を基準電圧として、この基準電圧と非反転入力端子に入力する抵抗Ｒ１の電圧とを比較し、その差に応じた電圧を出力端子から出力する。コンパレータＩＣ２の出力端子の出力電圧に応じた電流がフォトカプラＰＨ２の発光ダイオードＬｄ２に流れ、発光ダイオードＬｄ２はその電流に応じて発光することになる。
【００３５】
発光ダイオードＬｄ２が発光した光は、インバータ回路５のフォトカプラＰＨ２のフォトトランジスタＰｄ２に受光され、この受光量に応じた電流が駆動回路ＩＣ１の端子ＦＢから出力されてフォトカプラＰＨ２に流れる。駆動回路ＩＣ１は、入力端子ＦＢに流れる電流に応じて出力端子から出力する制御信号のパルス幅を制御する。
［動  作］
次に、上記のように構成されるＬＥＤ点灯装置１の動作について説明する。
【００３６】
位相制御調光器３によって交流電源Ｅの交流電圧が位相制御され、この位相制御された位相制御電圧Ｖａが整流回路ＲＣ１によって整流されて、図３に示すように整流回路ＲＣ１から整流電圧として出力される。
【００３７】
位相制御電圧Ｖａは、図３Ａに示すように、導通幅検出回路４０の定電圧回路４１によって所定電圧以上がカットされて位相制御電圧Ｖｂとなって出力される。
【００３８】
定電圧回路４１から出力される位相制御電圧Ｖｂがツエナー電圧Ｖｚに達すると、図２に示すツエナーダイオードＤＺ１がオンし、これによりトランジスタＱ３,Ｑ２がオンしてフォトカプラＰＨ１の発光ダイオードＬｄ１に電流が流れ、発光ダイオードＬｄ１が発光する。
【００３９】
位相制御電圧Ｖｂが低下してきてゼロボルトに近い電圧Ｖｈ（Ｖｈ＜Ｖｚ）になると、トランジスタＱ３,Ｑ２がオフし、フォトカプラＰＨ１の発光ダイオードＬｄ１は消灯することになる。
【００４０】
すなわち、発光ダイオードＬｄ１は位相制御電圧Ｖｂがツエナー電圧（第１閾値）Ｖｚになった時点から電圧（第２閾値）Ｖｈに下がる時点までの期間Ｔｄ（図３Ａ参照）、つまり位相制御電圧Ｖｂ（Ｖａ）の導通幅Ｗ（図３参照）だけ発光することになる。
【００４１】
つまり、導通幅検出回路４０は、位相制御電圧Ｖｂの導通幅を検出して、その期間Ｔｄだけ発光ダイオードＬｄ１を発光させることになる。
【００４２】
一方、整流回路ＲＣ１（図１参照）から出力される位相制御電圧Ｖａは、ダイオードＤ１を介してコンデンサＣ１に充電されることにより平滑され、直流電圧となってインバータ回路５へ供給される。
【００４３】
インバータ回路５の駆動回路ＩＣ１は、一定周期毎にパルスの制御信号を出力端子Ｐ１から出力する。スイッチング素子Ｑ１は制御信号が出力されている期間だけオンし、トランスＴの一次コイルＴ１に電流が流れる。
【００４４】
駆動回路ＩＣ１の出力端子Ｐ１から制御信号が出力されていない期間、スイッチング素子Ｑ１はオフし、このオフの期間、一次コイルＴ１に蓄えられたエネルギーによってトランスＴの二次コイルＴ２から高周波電圧が出力され、この高周波電圧が出力整流平滑回路６によって直流電圧にされ、この直流電圧によってＬＥＤモジュールＭの発光ダイオードＬＥＤに電流が流れて発光する。
【００４５】
ＬＥＤモジュールＭの発光ダイオードＬＥＤに流れる電流は、出力電流検出回路７によって検出され、その電流に応じた電圧がコンパレータＩＣ２の非反転端子に入力される。
【００４６】
調光信号生成回路９には、出力整流平滑回路６から出力される直流電圧が定電圧回路８によって所定の定電圧にされて供給される。また、フォトカプラＰＨ１のフォトトランジスタＰｄ１は、発光ダイオードＬｄ１から発光された光（調光信号）を受光している期間中導通し、この導通期間中、コンデンサＣ３は定電圧回路８から出力される定電圧によって充電される。
【００４７】
フォトカプラＰＨ１の発光ダイオードＬｄ１は、位相制御電圧Ｖｂの導通幅である期間Ｔｄだけ発光するので、位相制御調光器３によって位相制御された位相制御電圧Ｖａの導通幅の期間だけコンデンサＣ３は充電され、その導通幅に応じてコンデンサＣ３の電圧は高くなる。つまり、コンデンサＣ３の電圧である基準電圧Ｖｘはその導通幅に応じて高くなっていく。
【００４８】
すなわち、位相制御調光器３によって位相制御された位相制御電圧Ｖａ（Ｖｂ）の導通幅Ｗに対応してコンデンサＣ３の電圧（基準電圧）Ｖｘが変化し、位相制御調光器３の調光操作に応じて基準電圧Ｖｘが変えられていくことになる。
【００４９】
コンパレータＩＣ２は、基準電圧Ｖｘと出力電流検出回路７が検出した電流に応じた電圧Ｖｉとの差（Ｖｉ−Ｖｘ）に応じた電圧を出力し、フォトカプラＰＨ２の発光ダイオードＬｄ２を発光させる。
【００５０】
インバータ回路５のフォトカプラＰＨ２のフォトトランジスタＰｄ２が発光ダイオードＬｄ２から発光された光を受光し、この受光量に応じた電流がフォトトランジスタＰｄ２に流れる。すなわち、ＬＥＤモジュールＭの発光ダイオードＬＥＤに流れる電流に応じた電流がフォトトランジスタＰｄ２に流れる。
【００５１】
駆動回路ＩＣ１は、フォトトランジスタＰｄ２に流れる電流に基づいて、コンパレータＩＣ２の基準電圧Ｖｘと出力電流検出回路７が検出した電流に応じた電圧Ｖｉとの差（Ｖｉ−Ｖｘ）が所定の電圧となるように、所定のパルス幅の制御信号を出力端子Ｐ１から出力する。すなわち、その差（Ｖｉ−Ｖｘ）が所定の電圧以下の場合には、パルス幅を大きくし、所定の電圧以上の場合にはパルス幅を狭くすることにより、ＬＥＤモジュールＭの発光ダイオードＬＥＤの発光量を一定に保つことになる。
【００５２】
そして、位相制御調光器３の調光操作によって基準電圧Ｖｘを変えていくことにより、ＬＥＤモジュールＭの発光ダイオードＬＥＤの調光を行うことができることになる。
【００５３】
ところで、導通幅検出回路４０は、図３Ａに示すように、位相制御電圧Ｖｂ（Ｖａ）がツエナー電圧Ｖｚになる時点からツエナー電圧Ｖｚより低い電圧Ｖｈに下がる時点までの期間Ｔｄを位相制御電圧Ｖａの導通幅Ｗ（図３参照）として検出しており、この電圧Ｖｈがゼロボルトに近いので、交流電源Ｅの交流電圧が変動しても、その導通幅Ｗは変動することなく一定となる。このため、点灯しているＬＥＤモジュールＭの発光ダイオードＬＥＤが交流電源Ｅの電圧変動によってちらついてしまうということがない。
［第２実施例］
図４は第２実施例の導通幅検出回路１４０の構成を示したものである。導通幅検出回路１４０は、第１実施例のトランジスタＱ２,Ｑ３の替わりにサイリスタＴＨ１を用いたものであり、サイリスタＴＨ１のゲートを抵抗Ｒ５を介してツエナーダイオードＤＺ１のアノードに接続し、サイリスタＴＨ１のアノードをフォトカプラＰＨ１の発光ダイオードＬｄ１のカソードに接続したものである。他の構成は第１実施と同様なのでその説明は省略する。
【００５４】
この導通幅検出回路１４０は、第１実施例と同様に、位相制御電圧Ｖｂ（Ｖａ）がツエナー電圧ＶｚになるとサイリスタＴＨ１が導通し、位相制御電圧Ｖｂ（Ｖａ）がツエナー電圧Ｖｚより低い電圧Ｖｈ１に下がると、サイリスタＴＨ１はオフする。電圧Ｖｈ１はゼロボルトに近い電圧である。
【００５５】
他の動作は、第１実施例と同様であり、その効果も第１実施例と同じなのでその説明は省略する。
［第３実施例］
図５は第３実施例の導通幅検出回路２４０の構成を示したものである。導通幅検出回路２４０は、第１実施例のトランジスタＱ２,Ｑ３の替わりにスイッチ素子Ｑ４とマイクロコンピュータ（マイコン）２４１とを用いたものである。
【００５６】
スイッチ素子Ｑ４は、コレクタをフォトカプラＰＨ１の発光ダイオードＬｄ１のカソードに接続し、エミッタを整流回路ＲＣ１の他方の端子に接続したものである。また、マイコンの入力端子Ｍ１を定電圧回路４１の出力端子に接続し、出力端子Ｍ２をスイッチ素子Ｑ４のベースに接続したものである。
【００５７】
マイコン２４１は、入力端子Ｍ１に入力される入力電圧（位相制御電圧Ｖｂ）が低圧から高圧に上昇していく際に、その電圧が電圧Ｖｚになったとき出力端子Ｍ２からパルス（調光信号）を出力してスイッチ素子Ｑ４をオンさせてフォトカプラＰＨ１の発光ダイオードＬｄ１を発光させ、その入力電圧が降下して電圧Ｖｈ１になると、出力端子Ｍ２からのパルスの出力を停止させてスイッチ素子Ｑ４をオフさせるものである。
【００５８】
他の動作は、第１実施例と同様であり、その効果も第１実施例と同じなのでその説明は省略する。
【００５９】
上記実施例は、いずれもＬＥＤを点灯させる直流電源装置について説明したが、必ずしもこれに限らず、他の直流電源装置、例えば直流モータを駆動させる電源装置などにも適用できる。
【００６０】
この発明は、上記実施例に限られるものではなく、特許請求の範囲の発明の要旨を逸脱しない限り、設計の変更や追加等は許容される。
【符号の説明】
【００６１】
１            ＬＥＤ点灯装置（直流電源装置）
３            位相制御手段（位相制御調光器）
４            入力整流回路（整流回路）
５            インバータ回路
６            出力整流平滑回路
４０          導通幅検出回路（導通幅検出手段）
【図１】
2013247720.tif 000003
【図２】
2013247720.tif 000004
【図３】
2013247720.tif 000005
【図３Ａ】
2013247720.tif 000006
【図４】
2013247720.tif 000007
【図５】
2013247720.tif 000008
【図６】
2013247720.tif 000009
【図７】
2013247720.tif 000010
【図８】
2013247720.tif 000011